(57)【要約】  エレベータ装置においては、かごは、駆動装置の駆動力により昇降路内を昇降される。駆動装置は、昇降路内の頂部に配置された枠体により支持されている。枠体には、枠体の外部から駆動装置に伝わる熱を遮断する断熱材が設けられている。断熱材には、例えば、昇降路の天井面に対向するように枠体の上部に固定されている上部断熱材が含まれている。
2006129358.tif 000002
【特許請求の範囲】
【請求項１】
昇降路内を昇降されるかご、
上記昇降路内の頂部に配置されている枠体、
上記枠体に支持され、上記かごを昇降させる駆動装置、及び
上記枠体に設けられ、上記枠体の外部から上記駆動装置に伝わる熱を遮断する断熱材
を備えているエレベータ装置。
【請求項２】
上記断熱材は、上記昇降路の天井面に対向するように上記枠体の上部に固定されている上部断熱材を含む請求項１記載のエレベータ装置。
【請求項３】
上記断熱材は、上記昇降路壁に対向するように上記枠体の側面に固定されている側面断熱材を含む請求項１記載のエレベータ装置。
【請求項４】
上記断熱材は、上記かごの上面に対向するように上記枠体の下部に固定されている下部断熱材を含む請求項１記載のエレベータ装置。
【請求項５】
上記断熱材に重ねられ、上記枠体の外部から上記駆動装置に伝わる熱を反射する金属材をさらに備えている請求項１記載のエレベータ装置。
【請求項６】
上記金属材には、熱の反射率を高める表面処理が施されている請求項５記載のエレベータ装置。
【請求項７】
上記金属材には、表面積を大きくするように多数の凹凸が設けられている請求項５記載のエレベータ装置。
【請求項８】
昇降路内を昇降されるかご、
上記昇降路内の頂部に配置され、上記かごを昇降させる駆動装置、及び
上記昇降路の天井面に設けられ、上記昇降路の外部から上記昇降路内に伝わる熱を遮断する天井断熱材
を備えているエレベータ装置。
【請求項９】
上記昇降路の頂部の昇降路壁に設けられ、上記昇降路の外部から上記昇降路内に伝わる熱を遮断する壁面断熱材をさらに備えている請求項８記載のエレベータ装置。
【請求項１０】
昇降路内を昇降されるかご、
上記昇降路内の頂部に配置され、上記かごを昇降させる駆動装置、及び
建物の屋上で上記昇降路の真上の領域に設けられ、上記屋上の他の部分よりも断熱性を高めるエレベータ用屋上断熱材
を備えているエレベータ装置。
【請求項１１】
上記エレベータ用屋上断熱材に重ねられ、熱を反射する金属材をさらに備えている請求項１０記載のエレベータ装置。
【請求項１２】
上記エレベータ用屋上断熱材及び上記金属材の積層体は、上記屋上との間に隙間をおくように支持脚を介して上記屋上に設置されている請求項１１記載のエレベータ装置。
【発明の詳細な説明】
【技術分野】
【０００１】
この発明は、かごを昇降させる駆動装置が昇降路内の頂部に配置されているエレベータ装置に関するものである。
【背景技術】
【０００２】
従来のエレベータ装置では、かごを昇降させる駆動装置が昇降路内の頂部に配置されている。駆動装置は、垂直投影面でかごと重なるようにかごの上方に配置されている（例えば、特許文献１参照）。【０００３】
【特許文献１】特開２０００−２５５９３３号公報
【発明の開示】
【発明が解決しようとする課題】
【０００４】
上記のような従来のエレベータ装置では、駆動装置が昇降路内の頂部に配置されているが、昇降路内の頂部は、太陽光により加熱されたビル屋上からの熱が伝搬されるため、高温になり易く、駆動装置に用いられているベアリングやモータ機器等の寿命が短くなる。特に、気温の高い夏季や高温地域のビルにおいては、駆動装置に対する熱の影響は大きくなる。これに対して、ファン等により強制冷却を行う方法もあるが、例えばビルが数日間に渡って閉館しエレベータ装置の休止状態が続いた場合等には、エレベータ装置のファンも止まったままとなり、昇降路内の頂部の温度が上がる可能性が高い。【０００５】
この発明は、上記のような課題を解決するためになされたものであり、昇降路内の頂部に配置された駆動装置への熱による影響を簡単な構造で低減することができるエレベータ装置を得ることを目的とする。
【課題を解決するための手段】
【０００６】
この発明によるエレベータ装置は、昇降路内を昇降されるかご、昇降路内の頂部に配置されている枠体、枠体に支持され、かごを昇降させる駆動装置、及び枠体に設けられ、枠体の外部から駆動装置に伝わる熱を遮断する断熱材を備えている。
また、この発明によるエレベータ装置は、昇降路内を昇降されるかご、昇降路内の頂部に配置され、かごを昇降させる駆動装置、及び昇降路の天井面に設けられ、昇降路の外部から昇降路内に伝わる熱を遮断する天井断熱材を備えている。
また、この発明によるエレベータ装置は、昇降路内を昇降されるかご、昇降路内の頂部に配置され、かごを昇降させる駆動装置、及び建物の屋上で昇降路の真上の領域に設けられ、屋上の他の部分よりも断熱性を高めるエレベータ用屋上断熱材を備えている。
【図面の簡単な説明】
【０００７】
【図１】この発明の実施の形態１によるエレベータ装置の要部を示す平面図である。
【図２】図１の昇降路の頂部を示す概略の正面図である。
【図３】この発明の実施の形態２によるエレベータ装置の昇降路の頂部を示す概略の正面図である。
【図４】この発明の実施の形態３によるエレベータ装置の昇降路の頂部を示す概略の正面図である。
【図５】この発明の実施の形態４によるエレベータ装置の昇降路の頂部を示す概略の正面図である。
【図６】この発明の実施の形態５によるエレベータ装置の昇降路の頂部を示す概略の正面図である。
【図７】この発明の実施の形態６によるエレベータ装置の昇降路の頂部を示す概略の正面図である。
【図８】この発明の実施の形態７によるエレベータ装置の昇降路の頂部を示す概略の正面図である。
【図９】この発明の実施の形態８によるエレベータ装置の昇降路の頂部を示す概略の正面図である。
【発明を実施するための最良の形態】
【０００８】
以下、この発明の好適な実施の形態について図面を参照して説明する。
実施の形態１．
図１はこの発明の実施の形態１によるエレベータ装置の要部を示す平面図である。図において、昇降路１内には、一対のかごガイドレール２ａ，２ｂと、一対の釣合おもりガイドレール３ａ，３ｂとが設置されている。かご４は、かごガイドレール２ａ，２ｂにより案内されて昇降路１内を昇降される。釣合おもり５は、釣合おもりガイドレール３ａ，３ｂにより案内されて昇降路１内を昇降される。【０００９】
かご４は、かご枠（図示せず）と、かご枠に支持されたかご室６とを有している。かご室６は、かご出入口が設けられた前面６ａと、前面６ａに対向する背面６ｂと、互いに対向する第１及び第２の側面６ｃ，６ｄと、上面６ｅと、底面（図示せず）とを有している。釣合おもり５は、かご４と同じ高さに位置するときに第２の側面６ｄに対向するように、かご４の側方に配置されている。【００１０】
垂直投影面におけるかごガイドレール２ａ，２ｂの中心線の延長線は、かご４の奥行き方向に互いに間隔をおいて互いに平行である。即ち、かごガイドレール２ａ，２ｂは、かご１の奥行き方向に互いにずらして配置されている。そして、かごガイドレール２ａは、かご４の重心Ｇよりも後ろ側で第１の側面６ｃに対向している。また、かごガイドレール２ｂは、かご４の重心Ｇよりも前側で第２の側面６ｄに対向している。釣合おもり５は、昇降路１内のかごガイドレール２ｂの後方のスペースに配置されている。【００１１】
昇降路１内の頂部には、かご４及び釣合おもり５を昇降させる駆動装置７が配置されている。駆動装置７は、モータ及びブレーキを含む駆動装置本体８と、モータにより回転される駆動シーブ９とを有している。また、駆動装置７としては、軸方向の寸法が軸方向に直角な方向の寸法よりも小さい薄型巻上機が用いられている。さらに、駆動装置７は、駆動シーブ９の回転軸が鉛直又はほぼ鉛直になるように配置されている。【００１２】
駆動シーブ９には、複数本（図では１本のみ示す）の第１のロープ１１と、複数本（図では１本のみ示す）の第２のロープ１２とが巻き掛けられている。第１及び第２のロープ１１，１２は、かご４の上部に接続されたかご接続端部と、釣合おもり５の上部に接続された釣合おもり接続端部とをそれぞれ有している。即ち、かご４及び釣合おもり５は、第１及び第２のロープ１１，１２により、１：１ローピング方式で昇降路１内に吊り下げられている。【００１３】
第１のロープ１１のかご４への接続部と第２のロープ１２のかご４への接続部とは、垂直投影面で重心Ｇを中心として対象に配置するのが好適である。このような配置とすることにより、かご４の吊り中心を重心Ｇと一致させることができる。【００１４】
昇降路１内の頂部には、第１のロープ１１をかご４の上部に導く第１のかご返し車１３、第１のロープ１１を釣合おもり５の上部に導く第１の釣合おもり返し車１４、第２のロープ１２をかご４の上部に導く第２のかご返し車１５、第２のロープ１２を釣合おもり５の上部に導く第２の釣合おもり返し車１６、及び駆動シーブ９からの第１のロープ１１を第１のかご返し車１３へ向けて反転させる方向転換プーリ１７が配置されている。【００１５】
返し車１３〜１６は、それらの回転軸が水平となるように配置されている。また、方向転換プーリ１７は、その回転軸が鉛直又はほぼ鉛直となるように配置されている。【００１６】
図２は図１の昇降路１の頂部を示す概略の正面図である。ガイドレール２ａ，２ｂ，３ａ，３ｂのうちの少なくともいずれか２本の上部には、駆動装置７を支持する金属製の枠体１８が支持されている。図２では省略したが、枠体１８には、返し車１３〜１６及び方向転換プーリ１７も支持されている。枠体１８は、梁及び縦部材を含む複数本の構造材を組み合わせた構造体であり、駆動装置７等を覆うものではない。【００１７】
枠体１８には、枠体１８の外部から駆動装置７に伝わる熱を遮断する断熱材としての上部断熱材１９が設けられている。上部断熱材１９は、昇降路１の天井面１ａに対向するように枠体１８の上部に水平に固定されている。また、上部断熱材１９は、垂直投影面でかご４の全体と重なるように設けても、駆動装置７の周辺部のみと重なるように設けてもよいが、なるべく広い面積とした方が駆動装置７に対する断熱効果は高くなる。なお、図１では、枠体１８及び上部断熱材１９の図示を省略した。【００１８】
このようなエレベータ装置では、枠体１８に上部断熱材１９を設けたので、昇降路１内の頂部に配置された駆動装置７への熱による影響を簡単な構造で低減することができる。
また、上部断熱材１９を枠体１８に取り付ける作業は、製品出荷前に工場で行うことができるので、現場での据付作業の作業性の低下を防止することができる。【００１９】
実施の形態２．
次に、図３はこの発明の実施の形態２によるエレベータ装置の昇降路１の頂部を示す概略の正面図である。図において、枠体１８の側面には、断熱材としての側面断熱材２０が昇降路壁１ｂに対向するように固定されている。他の構成は、実施の形態１と同様である。【００２０】
このようなエレベータ装置では、上部断熱材１９に加えて側面断熱材２０も枠体１８に固定したので、駆動装置７への熱による影響をより確実に低減することができる。
また、側面断熱材２０を枠体１８に取り付ける作業も、製品出荷前に工場で行うことができる。【００２１】
実施の形態３．
次に、図４はこの発明の実施の形態３によるエレベータ装置の昇降路１の頂部を示す概略の正面図である。図において、枠体１８の下部には、断熱材としての下部断熱材２１がかご４の上面６ｅに対向するように固定されている。他の構成は、実施の形態２と同様である。【００２２】
このようなエレベータ装置では、上部断熱材１９及び側面断熱材２０に加えて下部断熱材２１も枠体１８に固定したので、駆動装置７への熱による影響をより確実に低減することができる。
また、下部断熱材２１を枠体１８に取り付ける作業も、製品出荷前に工場で行うことができる。【００２３】
実施の形態４．
次に、図５はこの発明の実施の形態４によるエレベータ装置の昇降路１の頂部を示す概略の正面図である。図において、断熱材１９，２０，２１の枠体１８側の面には、枠体１８の外部から駆動装置７に伝わる熱を反射する金属材２２，２３，２４がそれぞれ重ねられている。また、これらの金属材２２，２３，２４には、熱の反射率を高める表面処理が施されている。他の構成は、実施の形態３と同様である。【００２４】
このようなエレベータ装置では、断熱材１９，２０，２１を透過して枠体１８内に侵入する熱が金属材２２，２３，２４により反射されるとともに、断熱材１９，２０，２１から輻射される熱線も金属材２２，２３，２４により反射される。これにより、駆動装置７への熱による影響をより確実に低減することができる。また、断熱材１９，２０，２１からのゴミや粉塵の枠体１８内への侵入が金属材２２，２３，２４により遮断され、駆動装置７を清浄に保つことができる。
さらに、金属材２２，２３，２４に対して表面処理を施したので、熱の反射効率を向上させ、駆動装置７への熱による影響をより確実に低減することができる。【００２５】
実施の形態５．
次に、図６はこの発明の実施の形態５によるエレベータ装置の昇降路１の頂部を示す概略の正面図である。図において、上部断熱材１９の上面には、枠体１８の外部から駆動装置７に伝わる熱を反射する金属材２５が昇降路１の天井面１ａに対向するように重ねられている。金属材２５には、その表面積を大きくするように多数の凹凸が設けられている。他の構成は、実施の形態３と同様である。【００２６】
このようなエレベータ装置では、上部断熱材１９上に金属材２５が設けられているので、上部断熱材１９に照射される熱線を金属材２５で反射することができ、駆動装置７への熱による影響をより確実に低減することができる。
また、金属材２５に多数の凹凸を設けたので、昇降路１内に発生する気流に対する金属材２５からの放熱を促進することができ、これによっても駆動装置７の温度上昇を防ぐことができる。【００２７】
実施の形態６．
次に、図７はこの発明の実施の形態６によるエレベータ装置の昇降路１の頂部を示す概略の正面図である。図において、昇降路１の天井面１ａには、昇降路１の外部から天井部を通して昇降路１内に伝わる熱を遮断する天井断熱材２６が固定されている。また、昇降路１の頂部の昇降路壁１ｂには、昇降路１の外部から昇降路１内に伝わる熱を遮断する壁面断熱材２７が固定されている。【００２８】
このようなエレベータ装置では、天井面１ａに天井断熱材２６を固定したので、外部からの熱侵入による昇降路１内の頂部の温度上昇を効率良く抑制することができ、駆動装置７への熱による影響を低減することができる。
また、昇降路１内の頂部を囲む昇降路壁１ｂに壁面断熱材２７を固定したので、外部からの熱侵入による昇降路１内の頂部の温度上昇をより効率良く抑制することができる。【００２９】
なお、実施の形態６の天井断熱材２６は、実施の形態１〜５のエレベータ装置に設けてもよい。
また、実施の形態４，５で示したような金属材を天井断熱材に重ねてもよい。【００３０】
実施の形態７．
次に、図８はこの発明の実施の形態７によるエレベータ装置の昇降路１の頂部を示す概略の正面図である。図において、建物の屋上で昇降路１の真上の領域には、屋上の他の部分よりも断熱性を高めるエレベータ用屋上断熱材２８が固定されている。エレベータ用屋上断熱材２８は、屋上全体に設けられている建物の断熱材とは別に、昇降路１の真上の領域のみに追加されている。他の構成は、実施の形態４と同様である。【００３１】
このようなエレベータ装置では、建物の屋上にエレベータ用屋上断熱材２８を固定したので、外部からの熱侵入による昇降路１内の頂部の温度上昇を効率良く抑制することができ、駆動装置７への熱による影響を低減することができる。【００３２】
実施の形態８．
次に、図９はこの発明の実施の形態７によるエレベータ装置の昇降路１の頂部を示す概略の正面図である。図において、エレベータ用屋上断熱材２８の下面には、熱を反射する金属材２９が重ねられている。また、エレベータ用屋上断熱材２８及び金属材２９の積層体は、屋上との間に隙間をおくように複数の支持脚３０を介して屋上に設置されている。他の構成は、実施の形態７と同様である。【００３３】
このようなエレベータ装置では、エレベータ用屋上断熱材２８を透過した熱線を金属材２９により反射されるので、外部からの熱侵入による昇降路１内の頂部の温度上昇をより効率良く抑制することができ、駆動装置７への熱による影響を低減することができる。また、金属材２９と屋上との間に隙間を設けたので、昇降路１内への熱の侵入をより確実に抑制することができる。【００３４】
なお、上記の例では、釣合おもり５がかご４の側方に配置されているが、釣合おもりは、かごと同じ高さに位置するときにかごの背面に対向するようにかごの後方に配置してもよい。
また、エレベータ装置全体のレイアウトは上記の例に限定されるものではなく、例えば２：１ローピング方式のエレベータ装置にもこの発明は適用できる。
さらに、上記の例では断熱構造のみについて説明したが、エレベータ装置の運転中に駆動装置を強制冷却する冷却手段を付加してもよいことは勿論である。
さらに、断熱材としては、例えば平板状のもの、シート状のもの、又は層状のものを用いることができる。
さらにまた、金属材としては、例えば平板状のもの、又はフィルム状のものを用いることができる。
【図１】
2006129358.tif 000003
【図２】
2006129358.tif 000004
【図３】
2006129358.tif 000005
【図４】
2006129358.tif 000006
【図５】
2006129358.tif 000007
【図６】
2006129358.tif 000008
【図７】
2006129358.tif 000009
【図８】
2006129358.tif 000010
【図９】
2006129358.tif 000011
【国際調査報告】
2006129358.tif 000012
2006129358.tif 000013
2006129358.tif 000014
2006129358.tif 000015